(57)【要約】      （修正有）【課題】当面必要な小銭やカードと数枚の紙幣を収納して、ズボンのポケットなどに入れても嵩張らず、また、小銭が他の収納部に紛れ込む虞のない財布を提供する。【解決手段】本体内部に上方に開口部を有する複数の収納部３〜５を備えた財布であって、前記複数の収納部のうちの一方の端に位置する収納部の下端が折り返されて他の収納部の底下に曲がりこんで紙幣収納部５を形成し、前記複数の収納部のうちの他方の端に位置する収納部は小銭収納部３を形成し、前記紙幣収納部と前記小銭収納部の中間に位置する収納部がカード収納部４ａ〜４ｃを形成するとともに、財布本体の両側端部と上端部にかけて開閉用のラウンドファスナー２を備えることを特徴とする。【選択図】図１
0003150532.tif 000002
【実用新案登録請求の範囲】
【請求項１】
本体内部に上方に開口部を有する複数の収納部を備えた財布であって、
前記複数の収納部のうちの一方の端に位置する収納部の下端が折り曲げられて他の収納部の底下に曲がりこんで形成される紙幣収納部と、
前記複数の収納部のうちの他方の端に位置に形成される小銭収納部と、
前記紙幣収納部と前記小銭収納部の中間の位置に形成されるカード収納部と、
財布本体の両側端部と上端部にかけて開閉用のラウンドファスナーとを備えることを特徴とする財布。
【請求項２】
前記複数の収納部の開口先端と前記ラウンドファスナー間の距離を、最小径の硬貨の直径よりも小さくしたことを特徴とする請求項１に記載の財布。
【請求項３】
前記複数の収納部は、両端を上下に閉じた２枚の仕切り布及び本体側部の内側に留められたまち布によって構成されていることを特徴とする請求項１または２に記載の財布。
【考案の詳細な説明】
【技術分野】
【０００１】
本考案は、紙幣収納部と小銭収納部とカード収納部とを備えた財布に関する。
【背景技術】
【０００２】
従来から、紙幣収納部とカード収納部と小銭収納部とを一体に備えた財布が実用されている。
例えば、長手方向に２つ折り可能に形成された札入れにおいて、その長手方向全長に渡って紙幣収納部と仕切り布で仕切られた収納空間を形成し、この二つ折りにされる収納空間の一方側に小銭収納部を設け、他方側にカード収納部を設け、小銭収納部とカード収納部の厚みを同等にし、結果的に札入れの厚みを薄くするようにした例（特許文献１参照）や、二つ折りされる財布の折り目を境にした財布内面の両側に、それぞれ一つの小銭収納部を互いに財布内面の端寄りに位置させて設け、財布を二つ折りした状態で二つの小銭収納部が左右に隣り合うように離して設け、使い勝手がよく、嵩張りを少なくした例（特許文献２参照）などが報告されている。
【０００３】
ところで、このような従来の財布では、紙幣収納部に紙幣を重ねて入れるようにしているため、その縦方向の寸法を紙幣の縦寸法よりも長く取る必要があった。このため、ズボンのポケットなどに入れておくには少々寸法が大きくなりすぎるという問題がある。一方、当座の小銭などをポケットに入れておくために、小銭入れも必要とする場合がある。
したがって、バッグや背広の内ポケットに、主として紙幣を入れる札入れを、ズボンのポケットに小銭入れをという２重形式がとられることも多く、紙幣収納部とカード収納部と小銭収納部とを折角一体に備えた財布であっても小銭収納部があまり用いられないという場合が多かった。
また、複数の収納部を備えた財布では、小銭収納部から出た小銭が他の収納部に紛れ込んで分からなくなったり、カード収納部に紛れ込んでカードなどを取り出したときに紛失する原因になったりするという問題があった。
【先行技術文献】
【特許文献】
【０００４】
【特許文献１】特開２０００−３０８５１０号公報
【特許文献２】特開２００３−１６９７０８号公報
【考案の概要】
【考案が解決しようとする課題】
【０００５】
以上に述べたように、従来の紙幣収納部と小銭収納部とカード収納部とを備えた財布は、紙幣の縦寸法によってそのサイズが決まってしまいズボンのポケットに入れるにはやや大きすぎるという問題があった。また、小銭収納部から出た小銭が他の収納部に紛れ込む虞があるという問題があった。
【０００６】
本考案は、これらの問題を解決して、当面必要な小銭やカードと数枚の紙幣を収納して、ズボンのポケットなどに入れても嵩張らず、また、小銭が他の収納部に紛れ込む虞のない財布を実現することを目的とする。
【課題を解決するための手段】
【０００７】
上記課題を解決するため、本考案の財布は、本体内部に上方に開口部を有する複数の収納部を備えた財布であって、前記複数の収納部のうちの一方の端に位置する収納部の下端が折り曲げられて他の収納部の底下に曲がりこんで形成される紙幣収納部と、前記複数の収納部のうちの他方の端に位置に形成される小銭収納部と、前記紙幣収納部と前記小銭収納部の中間の位置に形成されるカード収納部と、財布本体の両側端部と上端部にかけて開閉用のラウンドファスナーとを備えることを特徴とする。
【０００８】
ここで、前記複数の収納部の開口先端と前記ラウンドファスナー間の距離を、最小径の硬貨の直径よりも小さくしたことを特徴とする。
【０００９】
また、前記複数の収納部は、両端を上下に閉じた２枚の仕切り布及び本体側部の内側に留められたまち布によって構成されていることを特徴とする。
【考案の効果】
【００１０】
本考案は、以上のように構成することにより、当面必要な小銭やカードと数枚の紙幣を別々の収納部に収納して、従来の小銭入れ程度の大きさで、ズボンのポケットなどに入れても嵩張らず、また、小銭が小銭収納部から他の収納部に紛れ込む虞のない財布を実現することができる。
【図面の簡単な説明】
【００１１】
【図１】本考案に係る財布の一実施の形態の開閉ラウンドファスナーを開いた状態での外観斜視図である。
【図２】図１に示す財布の実施の形態の開閉ラウンドファスナーを閉じた状態での外観斜視図である。
【図３】図１に示す財布の実施の形態の中央部での断面図である。
【考案を実施するための形態】
【００１２】
以下、図面を参照しつつ本考案に係る財布について説明する。
図１は、本考案の財布１０の一実施形態のラウンドファスナー２を開いた状態での外観斜視図、図２はラウンドファスナー２を閉じた状態での外観斜視図、図３は財布１０の長さ方向の中央での断面図である。なお、以下では、ラウンドファスナー２の金具２１の開閉時の移動方向に沿う方向を財布１０の長さ方向とし、財布１０本体及び各収納部３、４、５の開口側を上方向とする。
【００１３】
図１及び図２に示すように、財布１０は、本体側部１ａ、１ｂ間をラウンドファスナー金具２１を動かしてラウンドファスナー２で開け閉めすることによって開閉自在に構成されている。
財布１０内部には、複数の収納部３、４ａ、４ｂ、４ｃ、４ｄ及び５が長さ方向に並んで設けられている。これらの収納部３、４ａ、４ｂ、４ｃ、４ｄ及び５は、両端を上下に閉じられた２枚の仕切り布３１、４１ａ、４１ｂ及び５１と本体側部１ａ、１ｂの内側に止められた両端のまち布３２、５２とから構成されている。
【００１４】
図１において、図のもっとも左側に位置する収納部は小銭収納部３であって、本体側部１ａの内側に留められた小銭収納部まち布３２と小銭収納部仕切り布３１の間に構成され、小銭収納部まち布３２に折込を入れることで広く開口するように構成されている。
【００１５】
一方、図のもっとも右側に位置する収納部は紙幣収納部５であって、本体側部１ｂの内側に留められた紙幣収納部まち布５２と紙幣収納部仕切り布５１の間に構成されている。
この紙幣収納部５は、図３の断面図から分かるように、その底部の紙幣収納部先端５３が延長されて、折り曲げられて他の収納部３、４ａ、４ｂ、４ｃ、４ｄの底下に曲がり込む構成になっている。
これにより、重ねて２つ折りした紙幣を上部開口から紙幣収納部５に挿入すると、その先端側が自然に曲がり込んで他の収納部３、４ａ、４ｂ、４ｃ、４ｄの底に入り込む。
このため、財布１０の縦寸法を紙幣の縦寸法よりも短くしても紙幣の収納に問題を生じ無い。この結果、財布を小型に構成することができ、従来の小銭入れと同じような感じでズボンやスラックスのポケットに入れたり、小物入れに収めたりすることができる。
【００１６】
小銭収納部３と紙幣収納部５の間には、カード収納部仕切り布４１ａ，４１ｂの両側にカード収納部４ａ、４ｂ、４ｃ、４ｄが設けられている。ここでカード収納部４ａ、４ｂ、４ｃはカードを１枚ずつ挿入でき、取り出しやすいように仕切り布の一方の側４１ｂを他方４１ａよりも多少低くしてある。また、カード収納部４ｄは２〜３枚程度までカードを収納できるようになっている。
【００１７】
ところで、本実施の形態の財布１０では、各収納部３、４ａ、４ｂ、４ｃ、４ｄ及び５の先端とラウンドファスナー２との図３にｈで示した寸法を、最小径の硬貨、すなわち１円アルミ貨の直径（２０ｍｍ）よりも十分小さくなるようにしている。
このようにすることによって、財布１０を持ち歩いた際、小銭収納部３の開口付近まで小銭が動いても、ラウンドファスナー２によって押さえられて、それ以上小銭収納部３から漏れ出すことが無いため、小銭収納部３から出た小銭が他の収納部に紛れ込むような虞が無い。
【００１８】
なお、底部カバー６は、財布１０本体の下側のラウンドファスナー２を覆って保護するように設けられている。底部カバー６を設けることで、ラウンドファスナー２の閉じていない部分でポケットの内側を傷つけるような虞が無い。
【産業上の利用可能性】
【００１９】
本考案は、以上に述べたように構成されているので、従来の小銭入れと同等程度の小型で嵩張らない携行性に優れた構成で、紙幣、カード、小銭を別々に収納することができ、使い勝手がよく、これ１つ持ち歩くことで当座の買い物などに充分に役立てることができるので、家庭の主婦や学生、勤め人などに広く用いられる可能性を備えている。
【符号の説明】
【００２０】
１ａ、１ｂ    本体側部
２、２ａ、２ｂ    ラウンドファスナー
３    小銭収納部
４ａ、４ｂ、４ｃ、４ｄ    カード収納部
５    紙幣収納部
２１    ラウンドファスナー金具
３１    小銭収納部仕切り布
３２    小銭収納部まち布
４１ａ、４１ｂ    カード収納部仕切り布
５１    紙幣収納部仕切り布
５２    紙幣収納部まち布
５３    紙幣収納部先端
６    底部カバー
【図１】
0003150532.tif 000003
【図２】
0003150532.tif 000004
【図３】
0003150532.tif 000005